(57)【特許請求の範囲】
【請求項１】
識別子で識別された第１のフォーマットのスライド用データを、上記第１のフォーマットと異なる第２のフォーマットのスライド用画像データに変換する変換手段と、
上記変換手段が上記スライド用データを上記スライド用画像データに変換するとき、上記変換手段により変換された上記スライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成する生成手段と、
上記スライド用画像データ、上記識別用画像データ及び関連付けデータを記憶手段に記録する記録処理を行う記録処理手段とを備える編集装置。
【請求項２】
上記識別子は、上記データの集合に対応して設定されたファイル名であり、
上記生成手段は、上記ファイル名を画像データに変換して上記識別用画像データを生成する請求項１記載の編集装置。
【請求項３】
上記生成手段は、背景用画像データに上記識別子の画像データを重畳して識別用画像データを生成する請求項２記載の編集装置。
【請求項４】
上記変換手段は、上記第１のフォーマットのスライド用データを上記第２のフォーマットの複数のスライド用画像データに変換する請求項１記載の編集装置。
【請求項５】
上記関連付けデータは、上記第２のフォーマットに変換された上記スライド用画像データを表示する順番と共に、上記スライド用画像データを表示する間隔に対応するデータを少なくとも含むことを特徴とする請求項１記載の編集装置。
【請求項６】
識別子で識別された第１のフォーマットのスライド用データを、上記第１のフォーマットと異なる第２のフォーマットのスライド用画像データに変換するステップと、
上記スライド用データを上記スライド用画像データに変換するとき、上記変換されたスライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成するステップと、
上記スライド用画像データ、上記識別用画像データ及び関連付けデータを記憶手段に記録する記録処理を行うステップとを有する編集方法。
【請求項７】
上記識別子は、上記データの集合に対応して設定されたファイル名であり、
上記関連付けデータを生成するステップでは、上記ファイル名を画像データに変換して上記識別用画像データを生成する請求項６記載の編集方法。
【請求項８】
上記関連付けデータを生成するステップでは、背景用画像データに上記識別子の画像データを重畳して識別用画像データを生成する請求項７記載の編集方法。
【請求項９】
上記識別用画像データを生成するステップでは、上記第１のフォーマットのスライド用データを上記第２のフォーマットの複数のスライド用画像データに変換する請求項６記載の編集方法。
【請求項１０】
上記関連付けデータは、上記第２のフォーマットに変換された上記スライド用画像データを表示する順番とともに、上記スライド用画像データを表示する間隔に対応するデータを少なくとも含むことを特徴とする請求項６記載の編集方法。
【請求項１１】
コンピュータに
識別子で識別された第１のフォーマットのスライド用データを、上記第１のフォーマットと異なる第２のフォーマットのスライド用画像データに変換するステップと、
上記スライド用データを上記スライド用画像データに変換するとき、上記変換されたスライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成するステップと、
上記スライド用画像データ、上記識別用画像データ及び関連付けデータを記憶手段に記録する記録処理を行うステップと
を実行させるためのプログラムを記録したコンピュータに読み取り可能な記録媒体。
【請求項１２】
上記識別子は、上記データの集合に対応して設定されたファイル名であり、
上記関連付けデータを生成するステップでは、上記ファイル名を画像データに変換して上記識別用画像データを生成する請求項１１記載の記録媒体。
【請求項１３】
上記関連付けデータを生成するステップでは、背景用画像データに上記識別子の画像データを重畳して識別用画像データを生成する請求項１２記載の記録媒体。
【請求項１４】
上記識別用画像データを生成するステップでは、上記第１のフォーマットのスライド用データを上記第２のフォーマットの複数のスライド用画像データに変換する請求項１１記載の記録媒体。
【請求項１５】
上記関連付けデータは、上記第２のフォーマットに変換された上記スライド用画像データを表示する順番とともに、上記スライド用画像データを表示する間隔に対応するデータを少なくとも含むことを特徴とする請求項１１記載の記録媒体。
【請求項１６】
識別子で識別された第１のフォーマットのスライド用データを、上記第１のフォーマットと異なる第２のフォーマットのスライド用画像データに変換する変換手段と、上記変換手段が上記スライド用データを上記スライド用画像データに変換するとき、上記変換手段により変換された上記スライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成する生成手段とを備える編集装置により生成された上記スライド用画像データ、上記識別用画像データ及び関連付けデータを用いて上記スライド用画像データ及び上記識別用画像データを表示する表示装置において、
上記スライド用画像データと上記識別用画像データとを表示する表示手段と、
上記スライド用画像データと上記識別用画像データとを上記関連付けデータに基づいて上記表示手段に表示する制御手段とを備える表示装置。
【請求項１７】
上記関連付けデータは、上記第２のフォーマットに変換された上記スライド用画像データを表示する順番と共に、上記スライド用画像データを表示する間隔に対応するデータを少なくとも含むことを特徴とする請求項１６記載の表示装置。
【請求項１８】
該表示装置は、更に、上記編集装置で生成されたスライド用画像データ、上記識別用画像データ及び関連付けデータを記憶手段より読み出す読出手段を備えることを特徴とする請求項１６記載の表示装置。
【請求項１９】
上記記憶手段は、着脱可能な外部記憶装置であり、該表示装置は、更に、上記外部記憶装置が装着される装着部を有し、上記制御手段は、上記外部記憶装置が装着部に装着されたことを検出したとき、上記表示手段に上記スライド用画像データと上記識別用画像データとを表示することを特徴とする請求項１８記載の表示装置。
【請求項２０】
識別子で識別された第１のフォーマットのスライド用データを、上記第１のフォーマットと異なる第２のフォーマットのスライド用画像データに変換するステップと、
上記スライド用データを上記スライド用画像データに変換するとき、上記変換されたスライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成するステップと、
上記スライド用画像データと上記識別用画像データとを上記関連付けデータに基づいて表示手段に表示するステップとを有する表示方法。
【請求項２１】
コンピュータに
識別子で識別された第１のフォーマットのスライド用データを、上記第１のフォーマットと異なる第２のフォーマットのスライド用画像データに変換するステップと、
上記スライド用データを上記スライド用画像データに変換するとき、上記変換されたスライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成するステップと、
上記スライド用画像データと上記識別用画像データとを上記関連付けデータに基づいて表示手段に表示するステップと
を実行させるためのプログラムを記録したコンピュータに読み取り可能な記録媒体。
【発明の詳細な説明】
【０００１】
【発明の属する技術分野】
本発明は、プレゼンテーション用のアプリケーションプログラムにより作成されたデータを画像データに変換する編集装置、編集方法及び編集プログラムが記録された記録媒体と、このような編集装置、編集方法にて変換された画像データを表示する表示装置、表示方法及び表示プログラムが記録された記録媒体に関する。
【０００２】
【従来の技術】
プレゼンテーションに用いる資料を作成し、この作成した資料をプレゼンテーションを行うときに表示するようにするアプリケーションプログラムは、通常、パーソナルコンピュータにインストールされて用いられる。このプレゼンテーション用のアプリケーションプログラムは、１つのファイル内に、プレゼンテーションに用いる各ページ、すなわちスライドを保存することができるようになっている。そして、ユーザは、プレゼンテーションを行うとき、プレゼンテーション用のアプリケーションプログラムを起動し、該当するファイルを開いて、プレゼンテーションを行う。すなわち、ユーザは、プレゼンテーションの進行に合わせてスライドを順次表示していくことができるようになっている。
【０００３】
ところで、プレゼンテーションは、通常大勢の前で行うものであるから、その資料、すなわちスライドも一度に大勢の人に見せる必要がある。そこで、プレゼンテーションは、プロジェクタを用いてスライドを大画面表示して行われる。
【０００４】
プロジェクタでスライドを大画面表示するときには、通常、プレゼンテーション用のアプリケーションプログラムで作成されたファイルの中の各スライドを例えばＪＰＥＧ（Ｊｏｉｎｔ  Ｐｈｏｔｏｇｒａｐｈｉｃ  Ｅｘｐｅｒｔｓ  Ｇｒｏｕｐ）規格に準拠したフォーマットの画像データにそれぞれ変換し、この画像データを用いてプロジェクタで各スライドを表示するようにしている。
【０００５】
例えば、プレゼンテーション用のアプリケーションプログラムで作成されたファイルを画像データに変換するときには、このファイルのファイル名の付いたフォルダが作成され、このフォルダ内に、各スライドの画像データが格納されるようになっている。
【０００６】
通常、フォルダのフォルダ名は、文字データで構成されている。すなわち、フォルダ名で用いられる文字データは、パーソナルコンピュータにインストールされているＯＳ（Ｏｐｅｒａｔｉｎｇ  Ｓｙｓｔｅｍ）がサポートしている言語によって構成される。
【０００７】
【発明が解決しようとする課題】
しかしながら、ユーザがこれから行うプレゼンテーションに必要なスライドの画像データが格納されたフォルダを探す場合、フォルダのフォルダ名だけで検索することは困難である。フォルダのフォルダ名だけでこれら必要なプレゼンテーション用のデータを探し出すことができないときには、一度、フォルダを開いて中の画像データの確認を行う必要があり、ユーザにとって面倒なものになっていた。
【０００８】
また、フォルダのフォルダ名を構成している文字をサポートしていない装置を用いて記録媒体の中を開いてフォルダを見ようとすると、このフォルダのフォルダ名は、文字化けをしてしまい、ユーザに識別することができなくなってしまう。
【０００９】
そこで、本発明は、必要なデータを記録媒体の中から容易に探し出すことができるようにデータを編集することができる編集装置、方法及び編集に必要なプログラムが記録された記録媒体を提供することを目的とする。
【００１０】
また、本発明は、装置がサポートしている言語に関係なく、如何なる装置であっても識別用のデータを表示することができるようにデータを編集することができる編集装置、方法及び編集に必要なプログラムが記録された記録媒体を提供することを目的とする。
【００１１】
更に、本発明は、以上のような編集装置及び方法によって編集されたデータを表示することができる、すなわち、必要なデータを記録媒体の中から容易に探し出すことができるようにデータを表示することができる表示装置、方法及び表示に必要なプログラムが記録された記録媒体を提供することを目的とする。
【００１２】
更に、本発明は、装置がサポートしている言語に関係なく、如何なる装置であっても識別用のデータを表示し、データ検索を容易に行うことができるようにデータを表示する表示装置、方法及び表示に必要なプログラムが記録された記録媒体を提供することにある。
【００１３】
【課題を解決するための手段】
本発明に係る編集装置は、識別子で識別された第１のフォーマットのスライド用データを、上記第１のフォーマットと異なる第２のフォーマットのスライド用画像データに変換する変換手段と、上記変換手段が上記スライド用データを上記スライド用画像データに変換するとき、上記変換手段により変換された上記スライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成する生成手段と、上記スライド用画像データ、上記識別用画像データ及び関連付けデータを記憶手段に記録する記録処理を行う記録処理手段とを備える。
【００１４】
また、本発明に係る編集方法は、識別子で識別された第１のフォーマットのスライド用データを、上記第１のフォーマットと異なる第２のフォーマットのスライド用画像データに変換するステップと、上記スライド用データを上記スライド用画像データに変換するとき、上記変換されたスライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成するステップと、上記スライド用画像データ、上記識別用画像データ及び関連付けデータを記憶手段に記録する記録処理を行うステップとを有する。
【００１５】
また、本発明に係る記録媒体は、コンピュータに、識別子で識別された第１のフォーマットのスライド用データを、上記第１のフォーマットと異なる第２のフォーマットのスライド用画像データに変換するステップと、上記スライド用データを上記スライド用画像データに変換するとき、上記変換されたスライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成するステップと、上記スライド用画像データ、上記識別用画像データ及び関連付けデータを記憶手段に記録する記録処理を行うステップとを実行させるためのプログラムが記録されている。
【００１６】
以上のように構成された本発明に係る編集装置、編集方法及びプログラムが記録された記録媒体では、スライド用画像データを検索するときに、スライド用画像データと識別用画像データとが関連付けデータにより関連付けられているために、識別用画像データを選択することでスライド用画像データを容易に検索することができる。
【００１７】
また、本発明に係る表示装置は、識別子で識別された第１のフォーマットのスライド用データを、上記第１のフォーマットと異なる第２のフォーマットのスライド用画像データに変換する変換手段と、上記変換手段が上記スライド用データを上記スライド用画像データに変換するとき、上記変換手段により変換された上記スライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成する生成手段とを備える編集装置により生成された上記スライド用画像データ、上記識別用画像データ及び関連付けデータを用いて上記スライド用画像データ及び上記識別用画像データを表示する表示装置において、上記スライド用画像データと上記識別用画像データとを表示する表示手段と、上記スライド用画像データと上記識別用画像データとを上記関連付けデータに基づいて上記表示手段に表示する制御手段とを備える。
【００１８】
また、本発明に係る表示方法は、識別子で識別された第１のフォーマットのスライド用データを、上記第１のフォーマットと異なる第２のフォーマットのスライド用画像データに変換するステップと、上記スライド用データを上記スライド用画像データに変換するとき、上記変換されたスライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成するステップと、上記スライド用画像データと上記識別用画像データとを上記関連付けデータに基づいて表示手段に表示するステップとを有する。
【００１９】
また、本発明に係る記録媒体は、コンピュータに、識別子で識別された第１のフォーマットのスライド用データを、上記第１のフォーマットと異なる第２のフォーマットのスライド用画像データに変換するステップと、上記スライド用データを上記スライド用画像データに変換するとき、上記変換されたスライド用画像データを識別する上記識別子又は上記識別子に代わる所望の文字データを画像データに変換した識別用画像データを上記スライド用データに対応して生成すると共に、上記識別用画像データと上記スライド用画像データとを関連付ける関連付けデータを生成するステップと、上記スライド用画像データと上記識別用画像データとを上記関連付けデータに基づいて表示手段に表示するステップとを実行させるためのプログラムが記録されている。
【００２０】
以上のように構成された、本発明に係る表示装置、表示方法及び記録媒体は、スライド用画像データとこのスライド用画像データの識別用画像データとスライド用画像データと識別用画像データとを関連付ける関連付けデータとを読み出し、識別用画像データと識別用画像データに関連付けデータにより関連付けられたスライド用画像データとを表示手段に表示することにより、スライド用画像データを検索するときに、スライド用画像データと識別用画像データが関連付けデータにより関連付けられているために、識別用画像データからプレゼンテーションに必要なデータやスライド用画像データを容易に検索し表示することができる。
【００２１】
【発明の実施の形態】
以下、本発明を適用したプロジェクタシステムについて、図面を参照しながら詳細に説明する。
【００２２】
本発明が適用されたプロジェクタシステム１は、図１に示すように、プレゼンテーション用のアプリケーションプログラムにより作成されたデータを画像データこの画像データの識別用画像データとこれら画像データと識別用画像データとに関連付けられた関連付けデータとに変換するする編集装置２と、編集装置２にて変換された画像データ、識別用画像データ及び関連付けデータを記録する記録媒体であるＩＣ（Ｉｎｔｅｇｒａｔｅｄ  Ｃｉｒｃｕｉｔ）カード３と、編集装置２にて変換された画像データと識別用画像データとをＩＣカード３から読み出し表示する表示装置４とを備える。
【００２３】
編集装置２は、例えば、パーソナルコンピュータであり、プレゼンテーション用のアプリケーションプログラムにより作成されたデータを画像データと、この画像データの識別用画像データと、これら画像データと識別用画像データとに関連付けられた関連付けデータとに変換する編集プログラムが実行可能とされている。なお、編集装置２としては、パーソナルコンピュータに限定されるものではなく、ノート型のコンピュータや、ＰＤＡ（Ｐｅｒｓｏｎａｌ  Ｄｉｇｉｔａｌ  Ａｓｓｉｓｔａｎｔ）機器等、上述した編集プログラムを実行することができる装置であればよい。
【００２４】
ＩＣカード３は、例えば、半導体メモリを内蔵し、装置に対して着脱可能な記録媒体であり、編集装置２及び表示装置４等の着脱部に装着されることにより、上述した編集装置２にて変換された画像データ、識別用画像データ及び関連付けデータ等を保存することができるようになっている。
【００２５】
表示装置４は、表示用のスクリーン５を備える液晶型のプロジェクタであり、上述したような編集プログラムにて変換された画像データと、この画像データの識別用画像データと、これら画像データと識別用画像データとに関連付けられた関連付けデータとをＩＣカード３から読み出し、画像データと識別画像データとを関連付けて表示する表示プログラムが実行可能とされている。なお、表示装置４としては、液晶型のプロジェクタに限定されるものではなく、各種プロジェクタ、テレビモニタ、コンピュータ等、上述した表示プログラムを実行することができる装置であればよい。
【００２６】
プロジェクタシステム１に用いる編集装置２について図２を参照して説明する。
【００２７】
編集装置２は、ＯＳやＯＳ上で動作する各種アプリケーションプログラムや各種データ等を保存しておくＨＤＤ（Ｈａｒｄ  Ｄｉｓｋ  Ｄｒｉｖｅ）１１と、各種アプリケーションプログラムや各種データ等が保存されたＲＯＭ（Ｒｅａｄ  Ｏｎｌｙ  Ｍｅｍｏｒｙ）１２と、各種アプリケーションプログラムや各種データ等が一旦ロードされるＲＡＭ（Ｒａｎｄｏｍ  Ａｃｃｅｓｓ  Ｍｅｍｏｒｙ）１３と、画像データやアプリケーションプログラム等の結果等を表示するモニタ１４と、キーボード、マウス等からなる操作部１５と、ＩＣカード３が接続されるＩＣカードＩ／Ｆ（Ｉｎｔｅｒｆａｃｅ）１６と、編集装置２と外部機器とを接続するＵＳＢ（Ｕｎｉｖｅｒｓａｌ  Ｓｅｒｉａｌ  Ｂｕｓ）ケーブルが接続されるＵＳＢＩ／Ｆ（Ｕｎｉｖｅｒｓａｌ  Ｓｅｒｉａｌ  Ｂｕｓ  Ｉｎｔｅｒｆａｃｅ）１７と、編集装置２全体を制御するＣＰＵ（Ｃｅｎｔｒａｌ  Ｐｒｏｃｅｓｓｉｎｇ  Ｕｎｉｔ）１８とを備える。
【００２８】
以上のような編集装置２では、ユーザがＨＤＤ１１に保存された所望のアプリケーションプログラムを起動するように操作部１５より起動コマンドを入力すると、ＣＰＵ１８がＨＤＤ１１やＲＯＭ１２より必要なプログラムをＲＡＭ１１に読み出し実行する。
【００２９】
例えばユーザがプレゼンテーション用のアプリケーションプログラムにより作成されたデータを表示装置４で表示できるようにするため画像データに変換するときには、ユーザが操作部１５を操作してモニタ１４に表示されたアイコンをクリックすることによって、上述した編集プログラムを起動し、編集プログラムがＲＡＭ１３に読み出されＣＰＵ１８によって実行される。これによって、ユーザは、プレゼンテーション用のアプリケーションプログラムにより作成されたデータを容易に画像データ、識別用画像データ及び関連付けデータに変換することができ、変換した画像データ、識別用画像データ及び関連付けデータをＩＣカード３等に保存することができる。
【００３０】
具体的に編集プログラムは、プレゼンテーション用のアプリケーションプログラムにより作成したデータ、すなわちプレゼンテーションに用いるスライドが集合したファイルを各スライド毎にＪＰＥＧ規格に準拠し、且つＤＣＦ（Ｄｅｓｉｇｎ  ｒｕｌｅｓ  ｆｏｒ  Ｃａｍｅｒａ  Ｆｉｌｅ  ｓｙｓｔｅｍｓ）規格に準拠した画像データに変換する。また、この編集プログラムは、データの内容をユーザが識別しやすいように変換前のデータの文字データよりなる識別子をＪＰＥＧ規格及びＤＣＦ規格に準拠した識別用画像データを生成し、且つ画像データと識別画像データとを関連付ける関連付けデータを生成する。そして、これら画像データ、識別用画像データ及び関連付けデータをＩＣカード３等の所定の領域に保存する。
【００３１】
ここで、上述した画像データ、識別用画像データ及び関連付けデータは、ＤＣＦ規格に準拠するファイルの階層構造でＩＣカード３に保存される。これらのデータは、具体的に図３に示すような階層構造の各フォルダにファイルとして保存される。図３に示すように、ルートディレクトリ２０内には、例えば、フォルダ名が“ＤＣＩＭ”とされた第１のフォルダ２１と、フォルダ名が“ＭＳＳＯＮＹ”とされた第２のフォルダ２２とが生成される。また、第１のフォルダ２１内には、プレゼンテーション用のアプリケーションプログラムにより作成された１つのファイルに対応してフォルダ名が“００１ＭＳＰＪＰ”とされた第３のフォルダ２３が生成され、この第３のフォルダ２３内には、画像データ及び識別用画像データが画像ファイル（拡張子が例えばｊｐｇのファイル）として保存される。次に、第２のフォルダ２２内には、フォルダ名が“ＰＪ”とされた第４のフォルダ２４が生成され、この第４のフォルダ２４内には、識別用画像データとスライドを構成する画像データとを関連付ける関連付けデータが設定ファイル（拡張子が例えばｓｐｐとされたファイル）として保存される。
【００３２】
なお、上述のようにデータが保存されたＩＣカード３に、さらに別のプレゼンテーション用のアプリケーションプログラムにより作成されたデータを上述したように変換して保存する場合は、第１のフォルダ２１内に第３のフォルダ２３と異なるフォルダ名で、例えば、フォルダ名が“００２ＭＳＰＪＰ”とされた第５のフォルダ２５が生成され、この第５のフォルダ２５内に、新たな画像データ及び識別用画像データが保存される。また、新たな関連付けデータは、先に保存した関連付けデータと異なるファイル名で第４のフォルダ２４内に保存される。以下、同様の手順で、プレゼンテーション用のアプリケーションプログラムにより作成された複数のデータを、上述したように変換しＩＣカード３に保存することができる。
【００３３】
また編集プログラムは、プレゼンテーション用のアプリケーションにより作成されたデータのファイル名を文字データから画像データに変換して、上述した識別用画像データを生成する。
【００３４】
上述した識別用画像データは、ユーザが識別しやすくなるようにユーザがつけなおした任意の文字データからなる識別名を画像データに変換して作成することもできる。また、識別用画像データは、ユーザが識別しやすくなるように、ファイル名や任意の文字データを画像データに変換するだけでなく、文字データを変換した画像データと好みの背景とを合成して作成してもよい。さらに、背景となる画像の色を変更したり、任意の画像データを指定し背景とすることもできる。
【００３５】
ここで、関連付けデータとしては、画像データの保存場所と、識別用画像データの保存場所と、各画像データの表示順番、すなわちプレゼンテーション時に表示するスライドの順番と、各画像データを表示させる各種設定とが記録されている。
【００３６】
以下では、ファイル編集プログラムを実行する手順を、図４に示すフローチャートに基づいて説明する。
【００３７】
まず、ステップＳ１１において、ユーザが操作部１５を操作して、モニター１４に表示されたアイコンをクリックする。これによりＲＡＭ１３にプログラムが読み出されＣＰＵ１８により実行される。そして、ユーザが操作部１５を操作して、編集したいプレゼンテーション用のデータを選択する。具体的に、モニタ１４には、図５に示すような初期画面３０が表示される。ユーザは、例えばマウスなどにより、プレゼンテーション用のアプリケーションプログラムにより作成されたデータのファイルを選択し初期画面３０内に設けられたデータ入力部３１に移動させる、いわゆるドラッグ・アンド・ドロップを行う。
【００３８】
なお、初期画面３０には、ドラッグ・アンド・ドロップで、プレゼンテーション用のアプリケーションプログラムにより作成されたファイルを移動させ編集プログラムで処理可能な状態にするためのデータ入力部３１と、指定された保存先を表示するための保存先表示部３２と、データの編集を行うための編集釦３３と、識別用画像データを編集する編集画面を表示するためのタイトル釦３４と、プログラムを終了させるための終了釦３５が設けられており、ユーザが選択できるようになされている。
【００３９】
次に、ステップＳ１２において、ユーザが操作部１５を操作して初期画面３０内のタイトル釦３４を選択する。これにより、ＣＰＵ１８は、モニタ１４に、図６に示すような編集画面４０を表示する。そして、ユーザの操作に応じて操作部１５で、編集画面４０内に設けられたタイトル入力部４１を選択され、キーボード等でタイトルが入力されると、ＣＰＵ１８は、タイトル入力部４１に入力された文字データを表示する。これによって、ユーザは、自分の好きなタイトルを付けることができる。なお、初期条件として、タイトル入力部４１には変換しようとしているデータのファイル名が表示されている。なお、本例では、タイトル入力部４１に必ず文字データ、すなわちタイトルを入力し、入力がないときには警告表示を行うか、ファイル名をタイトルとするようになされている。
【００４０】
次に、ステップＳ１３において、ユーザが操作部１５を操作して、編集画面４０内に設けられたフォント釦４２を選択すると、ＣＰＵ１８は、詳細は省略するが、フォントを設定するフォント設定画面をモニタ１４に表示する。このフォント設定画面では、例えば、明朝体やゴシック体等のフォントの種類、太文字や斜体等のフォントのスタイル、フォントのサイズ、下線や取り消し線やフォントの色等のフォントの装飾を設定することができる。
【００４１】
次に、ステップＳ１４において、ユーザが操作部１５を操作して、編集画面４０内に設けられた背景釦４３を選択すると、ＣＰＵ１８は、詳細は省略するが、背景を設定する背景編集画面をモニタ１４に表示する。この背景編集画面では、識別用画像データの背景の色や、背景として用いる背景画像データを選択することができる。なお、初期条件として、識別用画像データの背景は無地及び黒色が設定されており、ユーザが背景釦４３を選択しない場合には、識別用画像データの背景が無地及び黒色とされる。
【００４２】
次に、ステップＳ１５において、ユーザが操作部１５を操作して、編集画面４０内に設けられた装飾釦４４を選択すると、ＣＰＵ１８は、詳細は省略するが、装飾を設定できる装飾設定画面をモニタ１４に表示する。この装飾設定画面では、識別用画像データのタイトルに各種装飾の設定を行うことができる。装飾の設定項目としては、例えば、影をつける等の装飾を選択することができる。
【００４３】
次に、ステップＳ１６において、ユーザが操作部１５を操作して、編集画面４０内に設けられた設定釦４５を選択すると、ＣＰＵ１８は、詳細は省略するが、画像データを表示するときのための設定を行う表示設定画面をモニタ１４に表示する。この表示設定画面では、画像データをスライドさせながら表示するなどの効果の設定や、スライド送りの自動又は手動の設定や、スライド送りを自動に設定した場合にはスライド送りの時間、すなわちインターバルの設定を行うことができる。
【００４４】
次に、ステップＳ１７において、ユーザが操作部１５を操作して、編集画面４０内に設けられたドライブ釦４６を選択すると、ＣＰＵ１８は、詳細は省略するが、保存先を設定する保存先設定画面をモニタ１４に表示する。この保存先設定画面では、変換された画像データ、識別用画像データ及び関連付けデータを保存する場所を選択することができる。なお、この際に、ＩＣカード３を保存先とする場合に、ＩＣカード３が挿入されている装置として、編集装置２又は表示装置４等を選択することができる。また、ＨＤＤ１１を保存先としてもよい。
【００４５】
次に、ステップＳ１８において、ユーザが操作部１５を操作して、編集画面４０内に設けられた実行釦４７が選択されると、ＣＰＵ１８は、上述したステップＳ１２乃至ステップＳ１６の設定に基づいて、プレゼンテーション用のアプリケーションプログラムにより作成されたデータから画像データ、識別用画像データ及び関連付けデータを生成する。
【００４６】
次に、ステップＳ１９において、ＣＰＵ１８は、編集プログラムの手順に基づき、ステップＳ１７にて指定した保存先に画像データ、識別用画像データ及び関連付けデータを保存する。ここで、ＣＰＵ１８は、ＩＣカード３に保存する場合に、画像データ及び識別用画像データを、図３に示す、第３のフォルダ２３内に、拡張子をｊｐｇとしてそれぞれ異なるファイル名となるように保存する。また、関連付けデータを、第４のフォルダ２４内に、拡張子をｓｐｐとして先に保存されている関連付けデータと異なるファイル名となるように保存する。
【００４７】
以上のような流れにより編集プログラムは終了することとなる。なお、ステップＳ１２乃至ステップＳ１７における手順は、入れ替えてもよい。また、編集プログラムにおいて上述したデータの変換を実行したくない場合に、ユーザは、操作部１５を操作して編集画面４０内に設けられたキャンセル部４８を選択する。これにより、編集プログラムは、上述したようなデータの変換を中止する。また、上述したようにユーザがフォント部４２を選択してフォントのサイズを変更することができるが、ユーザが編集画面４０内のフォントサイズ調整部４９を選択しておくことにより、識別用画像データ内に適切なサイズでタイトルを表示することができる。
【００４８】
以下では、上述した表示装置４について詳細に説明する。
【００４９】
表示装置４は、図７に示すように、ＩＣカード３から画像データ、識別用画像データ及び関連付けデータを読み出して映像信号を生成する映像信号生成部５１と、外部機器と接続されこの外部機器から映像信号が入力される映像信号入力部５２と、映像信号生成部５１又は映像信号入力部５２から入力された映像信号を調整する映像信号調整部５３と、映像信号調整部５３から入力された映像信号に基づきスクリーン５に映像を投影する映像投影部５４とを備える。
【００５０】
上述した映像信号生成部５１は、各種アプリケーションプログラムや各種データ等が保存されたＦＲＯＭ（Ｆｌａｓｈ  Ｒｅａｄ  Ｏｎｌｙ  Ｍｅｍｏｒｙ）６１と、各種アプリケーションプログラムや各種データ等が一旦読み出されるＳＲＡＭ（Ｓｔａｔｉｃ  Ｒａｎｄｏｍ  Ａｃｃｅｓｓ  Ｍｅｍｏｒｙ）６２と、ＩＣカード３が接続されるＩＣカードＩ／Ｆ６３と、表示装置４と外部機器とを接続するＵＳＢケーブルが接続されるＵＳＢＩ／Ｆ６４と、ＩＣカード３から読み出された画像データ及び識別用画像データをＪＰＥＧ規格に準拠した符号化／復号化を行うＪＰＥＧコーデック６５と、ＪＰＥＧコーデック６５にて符号化／復号化を行う際にデータを一時的に記録しておくＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）６６と、ＪＰＥＧコーデック６５とＳＤＲＡＭ６６とを接続するＳＤＲＡＭＩ／Ｆ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ  Ｉｎｔｅｒｆａｃｅ）６７と、画像データ及び識別用画像データやアプリケーションプログラム等の結果をデジタルデータからアナログデータに変換し映像信号を生成して出力する表示画像生成部６８と、リモートコントローラ等からなる操作部６９と、編集装置２等によって編集されたデータの再生を行う際の制御を行うＣＰＵ７０とを備える。
【００５１】
上述した映像信号入力部５２は、外部機器、ビデオテープレコーダ、レーザディスクプレーヤ、パーソナルコンピュータ、テレビゲーム機器等と接続され、これらの外部機器から入力される各種のアナログ信号である映像信号を映像信号調整部５３へ出力可能に構成されている。
【００５２】
上述した映像信号調整部５３は、映像信号生成部５１又は映像信号入力部５２から入力された映像信号を、一旦保存するＳＤＲＡＭ７２を備え、映像投影部５４が画像を適切に投影することができるように調整可能に構成されている。
【００５３】
上述した映像投影部５４は、例えば、入力された映像信号に基づいて光変調を行うＬＣＤ（Ｌｉｑｕｉｄ  Ｃｒｙｓｔａｌ  Ｄｉｓｐｌａｙ）パネルに光源から照明光を照射し、ＬＣＤパネルにて変調し、対物レンズ等によりスクリーン５へ映像信号に基づいた映像を拡大投影可能とされている。
【００５４】
以上のような映像信号生成部５１と映像信号入力部５２と映像信号調整部５３と映像投影部５４とを備える表示装置４は、上述した編集装置２等により変換された画像データ、識別画像データ及び関連付けデータが保存されたＩＣカード３がＩＣカードＩ／Ｆ６３に接続されると、ユーザが操作部６９を操作することにより、表示プログラムがＦＲＯＭ６１からＳＲＡＭ６２にロードされ、ＣＰＵ７０により表示プログラムを実行する。そして、ＩＣカード３から読み出した画像データ及び識別用画像データをＪＰＥＧコーデック６５によりＪＰＥＧ規格に準拠して復号化し、表示画像生成部６８に出力する。
【００５５】
表示画像生成部６８は、ＣＰＵ７０によりプロジェクタ５に表示しようとするメーニュ画像と、復号化された画像データ及び識別画像データとを合成し、スキャンコンバータ７１へアナログ信号に変換した映像信号として出力する。そして、スキャンコンバータ７１は、入力された映像信号をＳＤＲＡＭ７２に保存し、この映像信号を映像投影部５４に合わせたレベルに調整し、映像投影部５４へ出力する。次に、映像投影部５４は、映像信号に応じた画像を拡大し、スクリーン５に投影する。
【００５６】
具体的にＣＰＵ７０は、ＩＣカード３から上述した編集プログラムにより変換された画像データ、識別用画像データ及び関連付けデータを読み出し、メニュー画像と、識別用画像データとをスクリーン５に表示する。そして、ユーザが操作部６９を操作して識別用画像データを選択すると、関連付けデータにより識別データと関連付けられて保存されている画像データを容易にスクリーン５に投影する。
【００５７】
以下では、表示プログラムを実行する手順を、図８に示すフローチャートに基づいて説明する。
【００５８】
まず、例えば、表示装置４の電源が投入されると、ＦＲＯＭ６１より表示プログラムがＳＲＡＭ６２に読み出だされ、ＣＰＵ７０により実行される。
【００５９】
ステップＳ３１において、ＣＰＵ７０は、ＩＣカードＩ／Ｆ６３にＩＣカード３が装着されているかどうかを判断する。ＩＣカード３が装着されている場合はステップＳ３２に進む。
【００６０】
ステップＳ３２において、ＣＰＵ７０は、現在のモードがオートランモードであるかどうかを判断する。オートランモードが設定されていない場合には、ステップＳ３３へ進む。一方、オートランモードが設定されている場合には、ステップＳ３４へ進む。ここで、オートランモードとは、ＩＣカード３がＩＣカードＩ／Ｆ６３に装着されたことをＣＰＵ７０が判断した場合に、ＩＣカード３内のデータを自動的に読み込むモードである。
【００６１】
ステップＳ３３において、ユーザが操作部６９を操作してＩＣカードのモードを設定すると、ＣＰＵ７０は、ステップ３４に進む。
ステップＳ３４において、ＣＰＵ７０は、図９に示す、操作画面であるホームページとして、表示部８０をスクリーン５に投影する。
【００６２】
次に、ステップＳ３５において、ユーザが操作部６９を操作して表示部８０内に設けられたイベント部８１を選択する。なお、表示部８０内には、後述する、表示の基本設定を行う設定部８２と、ＩＣカード３のフォーマットを行うためのＩＣカード部８３と、表示するスライドを構成する画像データを選択するためのコンテンツ選択部８４と、プレゼンテーションを行うためのビューワーとＪＰＥＧ画像を表示するためのビューワーとを選択するためのビューワー選択部８５と、スライドショー、すなわちプレゼンテーションを実行するためのスライドショー部８６と、スライドを構成する画像データの内容の一覧を表示するためのインデックス部８７と、プレゼンテーションに用いる画像が表示される画像データ表示部８８，８９とが設けられている。
【００６３】
次に、ステップＳ３６において、ユーザが操作部６９を操作して表示部８０内に設けられたビューワー選択部８５を選択する。これにより、ＣＰＵ７０は、図１０に示す、ビューワーを選択するための表示部９０をスクリーン５に投影する。そして、ユーザが操作部６９を操作して表示部９０内に設けられたプレゼンテーションビューワー部９１又はＪＰＥＧビューワー部９２を選択する。ここで、ＣＰＵ７０は、プレゼンテーションビューワー部９１が選択された場合には、ステップＳ３７へ進む。一方、ＪＰＥＧビューワー部９２が選択された場合には、ステップＳ５０に進む。
【００６４】
ステップＳ３７において、ユーザが操作部６９を操作して、表示部８０内に設けられたコンテンツ選択部８４を選択する。
【００６５】
次に、ステップＳ３８において、ＣＰＵ７０は、図１１に示す、識別用画像データを表示する表示部１００をスクリーン５に投影する。この表示部１００内には、識別用画像データをサムネイルとして表示する識別用画像データ表示部１０１，１０２，１０３が設けられており、これらに、識別用画像データ表示部１０１，１０２，１０３に、図３に示すＩＣカード３の第１のフォルダ２１内の各フォルダ内に保存されている各識別用画像データを表示する。
【００６６】
次に、ステップＳ３９において、ユーザが操作部６９を操作して、表示部１００内に設けられた識別用画像データ選択部１０４，１０５を選択することにより、ＣＰＵ７０は、識別用画像データ表示部１０１，１０２，１０３に表示される識別用画像データを切り替える。そして、ユーザが操作部６９を操作して、識別用画像データ表示部１０１，１０２，１０３のいずれかを選択すると、ＣＰＵ７０は、コンテンツ選択部８４に、上述したように選ばれた識別用画像データを表示し、識別用画像データと画像データとを関連付ける関連付けデータをＩＣカード３内の第４のフォルダ２４内から読み出しこのデータに基づいて、所定のフォルダ、例えば第３のフォルダ２３内から表示する順に先頭から２つの画像データを画像データ表示部８８，８９に表示する。
【００６７】
次に、ステップＳ４０において、ユーザが操作部６９を操作して、表示部８０内に設けられたスライドショー部８６を選択する。これにより、ＣＰＵ７０は、図１２に示す、表示部１１０をスクリーン５に投影する。そして、ユーザが操作部６９を操作して、スライドショー、すなわちスクリーン５にスライドを表示してプレゼンテーションを実行するために表示部１１０内に設けられた実行部１１１を選択する。なお、表示部１１０内には戻り部１１２が設けられておりスライドショーを実行しない場合にユーザが選択することとなる。
【００６８】
次に、ステップＳ４１において、ＣＰＵ７０は、スクリーン５に選択した識別用画像と関連付けデータにより関連付けられた画像データを、関連付けデータの設定に基づいて順次表示する。そして、表示が終了することによりこの表示プログラムを終了する。
【００６９】
ステップＳ５０において、ユーザがＪＰＥＧビューワーを選択すると、ＣＰＵ７０は、図１３に示すように、表示部１２０をスクリーン５に投影する。なお、この表示部１２０には、画像データの保存されているフォルダ名が表示されるフォルダ選択部１２１と、ユーザが選択しようとするフォルダ内に保存される先頭の画像データを表示する画像データ表示部１２２とが設けられている。これにより、ユーザが操作部６９を操作して、画像データ表示部１２２に表示される最初の画像データを参照して、所望のフォルダをフォルダ選択部１２１から選択する。これにより、ＣＰＵ７０は、識別用画像データと、表示する順に２つの画像データを表示する。
【００７０】
次に、ステップＳ５１において、ユーザが操作部６９を操作して、スライドショー部８６を選択する。これにより、ＣＰＵ７０は、図１４に示すように、表示部１３０をスクリーン５に投影する。なお、表示部１３０には、スライドショーを実行する実行部１３１と、スライドショーを実行せずに処理を戻す戻り部１３２と、スライドショーの各種設定を行う設定部１３３，１３４，１３５が設けられている。これにより、ユーザは、操作部６９を操作して、設定部１３３，１３４，１３５の内必要なものを選択してスライドショーの各種設定を行い、実行部１３１を選択する。
【００７１】
次に、ステップＳ５３において、ＣＰＵ７０は、上述した設定に基づき、画像データをスクリーン５に順次投影し、この処理を終了する。
【００７２】
なお、上述した各ステップには記載していないが、ユーザが操作部６９を操作して、インデックス部８７を選択することで、ＣＰＵ７０は、図１５に示すように、表示部１４０をスクリーン５に投影し、ユーザが選択しているフォルダ内の各画像データを一覧表示する。これにより、ユーザは、表示したい画像データすなわちスライドを１つずつ指定してスクリーン５に投影することができる。また、ユーザが操作部６９を操作して設定部８２を選択することで、ＣＰＵ７０は、図１６に示すように表示部１５０をスクリーン５に投影する。なお、表示部１５０には、オートランモードをオンにするオン設定部１５１と、オートランモードをオフにするオフ設定部１５２が設けられており、ユーザが操作部６９を操作することにより、オートランモードのオン・オフを切り替えることができる。さらに、ユーザが操作部６９を操作して、ＩＣカード部８３を選択することにより、ＣＰＵ７０は、ＩＣカード３内のデータを初期化する、いわゆるフォーマットを行う。
【００７３】
以上のように、ＣＰＵ７０は、表示プログラムを実行し、ユーザがスクリーン５に投影された識別用画像データを、操作部６９を操作して選択することにより、この識別用画像データに関連付けられた画像データを容易に表示することができ、速やかにプレゼンテーションを行うことができる。
【００７４】
以上のようにプロジェクタシステム１は、プレゼンテーション用のアプリケーションプログラムにより作成されたデータを、各スライドごとにＪＰＥＧ規格に準拠した画像データに変換するだけでなく、プレゼンテーション用のアプリケーションプログラムにより作成されたデータのファイル名をＪＰＥＧ規格に準拠した識別用画像データとして生成し、さらに、これら画像データと識別用画像データとを関連付ける関連付けデータを作成し、ＩＣカード３に記録することができる。これにより、プレゼンテーションを行うために、ＩＣカード３から所望とするプレゼンテーションに用いる画像データを検索する際に、ユーザが識別しやすい識別画像データを選択するだけで所望とする画像データを容易に表示することができる。
【００７５】
また、従来の装置は、ファイル名から検索する場合に、装置がサポートしない言語にて作成されたファイル名が適切に表示されない、いわゆる文字化けを起こし、基本的にアルファベット、数字、一部の記号のみしか表示することができなかったが、ファイル名やその他の文字を識別用画像データとしてあれば、これを表示することにより、装置のサポートする言語とは無関係にファイル名や文字が表示できる。
【００７６】
さらに、識別用画像データの背景も自由に設定可能とされているために、ユーザにとってより識別がしやすくなり、画像データ、すなわちスライドの内容をそれぞれ確認せずに容易に所望のプレゼンテーション用の画像データを検索することができる。
【００７７】
なお、編集装置２及び表示部４は、ＵＳＢケーブルにて接続されるとしても良く、ＩＣカード３がどちらに挿入されていても、ＩＣカード３に画像データ、識別用画像データ及び関連付けデータを保存及び読み出しをすることができる。また、例えば、ＵＳＢケーブルをそれぞれのＵＳＢＩ／Ｆ１７，６４に接続し、編集装置２のＨＤＤ１１から表示装置４に、上述したようなデータを読み出すこともできる。
【００７８】
ところで、以上のような編集プログラムや表示プログラムは、ＨＤＤ１１、ＲＯＭ１２、ＦＲＯＭ６１等に記憶保存しておく他、磁気ディスク、光磁気ディスク、光ディスク、半導体メモリ等の記憶媒体に記憶保存しておくこともできる。この場合に、記憶媒体から、ＨＤＤ１１、ＲＡＭ１３、ＳＲＡＭ６２等にプログラムが読み出されて実行される。このような、記憶媒体をユーザに提供する場合は、ユーザがＨＤＤ１１等にプログラムをインストールして用いることもできる。また、このような記録媒体を介してＨＤＤ１１等に各プログラムをインストールする他に、ダウンロードサイトなどから無線又は有線でＨＤＤ１１等に各プログラムをインストールすることもできる。
【００７９】
【発明の効果】
以上のように本発明によれば、スライド用画像データを検索するときに、スライド用画像データと識別用画像データとが関連付けデータにより関連付けられているために、識別用画像データを選択することでスライド用画像データを容易に検索することができる。
【００８０】
また、識別用画像データが、第１のフォーマットのスライド用データのファイル名や所望の文字とすることで、ユーザにとってより識別することが容易となる。ファイル名や文字を識別用画像データに変換するために、表示する装置の使用できる言語でなくても適切に表示することができる。
【図面の簡単な説明】
【図１】本発明が適用されたプロジェクタシステムの構成の概略を示す斜視図である。
【図２】編集装置の構成を示すブロック図である。
【図３】ＩＣカード内におけるファイルの階層構造示す概略図である。
【図４】編集プログラムの処理手順を示すフローチャートである。
【図５】モニタに表示される編集プログラムの基本の画面を示す図である。
【図６】モニタに表示される編集プログラムの設定の画面を示す図である。
【図７】本発明が適用されたプロジェクタシステムの表示装置の構成を示すブロック図である。
【図８】表示プログラムの処理手順を示すフローチャートである。
【図９】スクリーンに投影される表示プログラムの基本の画面を示す図である。
【図１０】スクリーンに投影される表示プログラムのビューワー選択の画面を示す図である。
【図１１】スクリーンに投影される表示プログラムのプレゼンテーションビューワーが選択された場合の、コンテンツ選択の画面を示す図である。
【図１２】スクリーンに投影される表示プログラムのプレゼンテーションビューワーが選択された場合の、スライドーショーの実行を選択する画面を示す図である。
【図１３】スクリーンに投影される表示プログラムのＪＰＥＧビューワーが選択された場合の、コンテンツ選択の画面を示す図である。
【図１４】スクリーンに投影される表示プログラムのＪＰＥＧビューワーが選択された場合の、スライドーショーの実行を選択する画面を示す図である。
【図１５】スクリーンに投影される表示プログラムのインデックスの画面を示す図である。
【図１６】スクリーンに投影される表示プログラムのオートランモードの設定の画面を示す図である。
【符号の説明】
１  プロジェクタシステム、２  編集装置、３  ＩＣカード、４  表示装置、５  スクリーン、１１  ＨＤＤ、１２  ＲＯＭ、１３  ＲＡＭ、１４  モニタ、１５  操作部、１６  ＩＣカードＩ／Ｆ、１７  ＵＳＢＩ／Ｆ、１８  ＣＰＵ、５１  映像信号生成部、５２  映像信号入力部、５３  映像信号調整部、５４  映像投影部、６１  ＦＲＯＭ、６２  ＳＲＡＭ、６３  ＩＣカードＩ／Ｆ、６４ＵＳＢＩ／Ｆ、６５  ＪＰＥＧコーデック、６６  ＳＤＲＡＭ、６７  ＳＤＲＡＭＩ／Ｆ、６８  表示画像生成部、６９  操作部、７０  ＣＰＵ、７１  スキャンコンバータ、７２  ＳＤＲＡＭ
【図１】
0003591487.tif 000002
【図２】
0003591487.tif 000003
【図３】
0003591487.tif 000004
【図４】
0003591487.tif 000005
【図５】
0003591487.tif 000006
【図６】
0003591487.tif 000007
【図７】
0003591487.tif 000008
【図８】
0003591487.tif 000009
【図９】
0003591487.tif 000010
【図１０】
0003591487.tif 000011
【図１１】
0003591487.tif 000012
【図１２】
0003591487.tif 000013
【図１３】
0003591487.tif 000014
【図１４】
0003591487.tif 000015
【図１５】
0003591487.tif 000016
【図１６】
0003591487.tif 000017